(57)【要約】      （修正有）【課題】栓体の上下方向の長さを抑制することができる飲料用容器の栓体を提供する。【解決手段】飲口部１０２を開閉する開閉蓋１１に形成された第１ロック部１１１と、蓋本体部１０の側面１０４に設けられ、水平な回転軸まわりに回転可能で、ロック位置とロック解除位置に切り換えられるロック部材２０と、ロック位置において第１ロック部１１１と係合可能な第２ロック部と、ロック部材２０をロック位置に付勢するバネ４０と、ロック部材２０の下方に設けられ、水平な回転軸まわりに回転可能で、ロック部材２０がロック解除位置への移動を阻止する阻止位置と、許容する許容位置に切り換え可能なストッパー部材３０と、を備え、ストッパー部材３０を阻止位置から許容位置へと切り換えた後、ロック部材２０をロック位置からロック解除位置へと切り換えることで、開閉蓋１１がバネの付勢力により閉鎖位置から解放位置へと移動する。【選択図】図３
0003150119.tif 000002
【実用新案登録請求の範囲】
【請求項１】
飲料用容器の容器本体の上部に取り付けられる栓体であって、
容器本体の上部開口部を覆うように形成される蓋本体部と、
この蓋本体部の上面に設けられる飲口部と、
この飲口部を開放する位置と閉塞する位置に切り換え動作可能な開閉蓋と、
この開閉蓋を回転可能に軸支する蓋支持部と、
開閉蓋に形成された第１ロック部と、
開閉蓋を前記開放する位置へ付勢する第１付勢部材と、
前記蓋本体部の側面に設けられ、水平に設定された回転軸まわりに回転可能であり、ロック位置とロック解除位置に切り換え動作可能なロック部材と、
このロック部材に一体形成され、ロック位置において前記第１ロック部と係合可能な第２ロック部と、
ロック部材をロック位置に付勢する第２付勢部材と、
ロック部材の下方に設けられ、水平に設定された回転軸まわりに回転可能であり、前記ロック部材がロック解除位置へ移動するのを阻止する阻止位置と、ロック解除位置へ移動するのを許容する許容位置に切り換え動作可能なストッパー部材と、を備え、
前記ストッパー部材を阻止位置から許容位置へと切り換えた後、前記ロック部材をロック位置からロック解除位置へと切り換えることで、開閉蓋が第１付勢部材の付勢力により閉鎖位置から解放位置へと移動することを特徴とする飲料用容器の栓体。
【請求項２】
前記側面から見て、ロック部材の回転軸よりも、ストッパー部材の回転軸の方が奥側に位置していることを特徴とする請求項１に記載の飲料用容器の栓体。
【請求項３】
ストッパー部材には、前記阻止位置へ保持するためのクリック部が一体形成されており、阻止位置から許容位置へ切り換える際に、前記クリック部が弾性変形して、蓋本体部に形成されたクリック突部を乗り越えることで許容位置へと切り換えられることを特徴とする請求項１又は２に記載の飲料用容器の栓体。
【請求項４】
ストッパー部材には、ロック部材がロック解除位置へ移動するのを阻止する当接部が一体形成されており、ストッパー部材が阻止位置にあるとき、ロック部材をロック解除位置へ切り換えようとすると、前記当接部により切り換えが阻止されることを特徴とする請求項１〜３のいずれか１項に記載の飲料用容器の栓体。
【請求項５】
ロック部材には、前記当接部に当接可能な被当接部が形成されており、当接部及び被当接部の当接面が、ストッパー部材の回転軸を中心とする半径を有する円筒面に形成されていることを特徴とする請求項４に記載の飲料用容器の栓体。
【請求項６】
請求項１〜５のいずれか１項に記載の栓体を有する飲料用容器。
【考案の詳細な説明】
【技術分野】
【０００１】
本考案は、飲料用容器の容器本体の上部に取り付けられる栓体及びこれを有する飲料用容器に関するものである。
【背景技術】
【０００２】
スポーツジャグ等の飲料用容器の容器本体の上部に取り付けられる栓体として、例えば、下記特許文献に開示される栓体が知られている。容器本体の上部の開口部には、ねじ機構により着脱自在な被嵌体（蓋本体部に相当）が取り付けられており、その上面に飲口部が形成されている。この飲口部を開閉するための開閉蓋が設けられており、開閉蓋を閉じた位置に係止するための解除押動部（ロック部材に相当）が設けられる。解除押動部を押すことで開閉蓋を開くことができるが、飲料用容器の携帯時に解除押動部に触れて、不意に開閉蓋が開いてしまい、場合によっては中身の飲料がこぼれることを防止するため、別にストッパー部が設けられている。
【０００３】
このストッパー部は、通常は解除押動部の押動作動を阻止するものである。開閉蓋を開くときには、ストッパー部を下方にスライド移動させることで上記阻止状態を解除する。これにより、解除押動部を押すことができ、開閉蓋を開かせることができる。このように、ロック部材とストッパー部を設けることで、安全性を高めている。
【先行技術文献】
【特許文献】
【０００４】
【特許文献１】特許第４１４３３８３号
【考案の概要】
【考案が解決しようとする課題】
【０００５】
しかしながら、上記構成による栓体のロック構造は次のような課題がある。ロック部材の下方にストッパー部を設けているが、このストッパー部は上下方向にスライド移動する構成になっている。したがって、開閉蓋のロックを行うための機構を配置するために上下方向に大きな配置空間が必要とされる。その結果、栓体も上下方向に大きな寸法とならざるを得ず、栓体が必要以上に大型化するという問題があった。また、栓体を容器本体にネジ結合する場合に、ねじ部が長くなり、着脱する場合に時間がかかるという問題もあった。
【０００６】
本考案は上記実情に鑑みてなされたものであり、その課題は、栓体の上下方向の長さを抑制することができる飲料用容器の栓体及びこれを有する飲料用容器を提供することである。
【課題を解決するための手段】
【０００７】
上記課題を解決するため本考案に係る飲料用容器の栓体は、
容器本体の上部開口部を覆うように形成される蓋本体部と、この蓋本体部の上面に設けられる飲口部と、この飲口部を開放する位置と閉塞する位置に切り換え動作可能な開閉蓋と、この開閉蓋を回転可能に軸支する蓋支持部と、開閉蓋に形成された第１ロック部と、開閉蓋を前記開放する位置へ付勢する第１付勢部材と、前記蓋本体部の側面に設けられ、水平に設定された回転軸まわりに回転可能であり、ロック位置とロック解除位置に切り換え動作可能なロック部材と、このロック部材に一体形成され、ロック位置において前記第１ロック部と係合可能な第２ロック部と、ロック部材をロック位置に付勢する第２付勢部材と、ロック部材の下方に設けられ、水平に設定された回転軸まわりに回転可能であり、前記ロック部材がロック解除位置へ移動するのを阻止する阻止位置と、ロック解除位置へ移動するのを許容する許容位置に切り換え動作可能なストッパー部材と、を備え、
前記ストッパー部材を阻止位置から許容位置へと切り換えた後、前記ロック部材をロック位置からロック解除位置へと切り換えることで、開閉蓋が第１付勢部材の付勢力により閉鎖位置から解放位置へと移動することを特徴とするものである。
【０００８】
かかる構成による飲料用容器の栓体の作用・効果を説明する。栓体は、容器本体の上部に取り付けられる。栓体は、飲口部が設けられた蓋本体部を有しており、この飲口部は、開閉蓋により開閉される。開閉蓋を閉じて飲口部を閉鎖する場合、ロック部材とストッパー部材によりロックされる。ロック部材は、ロック位置とロック解除位置に切り換え可能である。ストッパー部材は、阻止位置と許容位置に切り換え可能である。ストッパー部材が阻止位置にあるときは、ロック部材をロック位置からロック解除位置に切り換えることができない。ストッパー部材を許容位置に切り換えることで、ロック部材をロック解除位置に切り換えることができる。これにより、開閉蓋が開き方向に移動することができ、飲口部を露出させることができる。
【０００９】
また、ロック部材の下方にストッパー部材が配置されており、いずれも水平方向の回転軸周りに回転可能となっている。なお、水平方向とは、飲料用容器を平面に立てて置いた場合の姿勢を示す。ストッパー部材はスライド移動させるのではなく、回転させるように構成しているので、上下方向の配置空間を抑制することができる。したがって、栓体の上下方向の長さを抑制した飲料用容器の栓体を提供することができる。
【００１０】
本考案において、前記側面から見て、ロック部材の回転軸よりも、ストッパー部材の回転軸の方が奥側に位置していることが好ましい。
【００１１】
ストッパー部材の回転軸をロック部材の回転軸の真下に配置するのではなく、それよりも奥側に配置することで、上下方向の配置長さを抑制して回転軸を配置することができる。また、ロック部材のロック解除位置への移動を阻止するための機構配置を行いやすくなる。
【００１２】
本考案において、ストッパー部材には、前記阻止位置へ保持するためのクリック部が一体形成されており、阻止位置から許容位置へ切り換える際に、前記クリック部が弾性変形して、蓋本体部に形成されたクリック突部を乗り越えることで許容位置へと切り換えられることが好ましい。
【００１３】
ストッパー部材にクリック部を設けることで、阻止位置において安定した状態で保持させることができる。したがって、不意にロック部材によるロックが解除されることを確実に防止することができる。また、クリック部はストッパー部材に一体形成されることで、余分な部品を設けることなくクリックで保持させることができる。阻止位置から許容位置へ切り換えることきは、クリック部を弾性変形させればよく、ストッパー部材を例えば樹脂で成型することで、弾性変形可能なクリック部を容易に形成させることができる。
【００１４】
本考案におけるストッパー部材には、ロック部材がロック解除位置へ移動するのを阻止する当接部が一体形成されており、ストッパー部材が阻止位置にあるとき、ロック部材をロック解除位置へ切り換えようとすると、前記当接部により切り換えが阻止されることが好ましい。
【００１５】
この構成によると、ストッパー部材には当接部が一体形成されている。ストッパー部材が阻止位置に保持されている時は、ロック部材をロック解除位置に移動させようとしても、当接部が邪魔をして移動することができない。これにより、不意にロックが解除されることを確実に防止することができる。
【００１６】
本考案に係るロック部材には、前記当接部に当接可能な被当接部が形成されており、当接部及び被当接部の当接面が、ストッパー部材の回転軸を中心とする半径を有する円筒面に形成されていることが好ましい。
【００１７】
この構成によると、ロック部材の被当接部がストッパー部材の当接部に当接することで、ロック部材が不意に解除されることを防止する。当接部と被当接部とは、当接面どうしが当接するように構成される。このとき、当接面はストッパー部材の回転軸を中心とする円筒面に形成されている。これにより、ストッパー部材を回転させて、阻止位置から許容位置へ移動させるときに、無理な力を要することなく、当接状態から脱出させることができる。
【図面の簡単な説明】
【００１８】
【図１】開閉蓋を閉じた状態の飲料用容器の外観を示す斜視図
【図２】開閉蓋を開いた状態の飲料用容器の外観を示す斜視図
【図３】開閉蓋を閉じた状態の栓体の内部構造を示す断面図
【図４】開閉蓋を開いた状態の栓体の内部構造を示す断面図
【図５】開閉蓋のロック機構の動作を示す断面図
【考案を実施するための形態】
【００１９】
本考案に係る飲料用容器の栓体及びこれを有する飲料用容器の好適な実施形態を図面を用いて説明する。図１は、開閉蓋を閉じた状態の飲料用容器の外観を示す斜視図、図２は、開閉蓋を開いた状態の飲料用容器の外観を示す斜視図である。図３は、開閉蓋を閉じた状態の栓体の内部構造を示す断面図、図４は、開閉蓋を開いた状態の栓体の内部構造を示す断面図である。図５は、開閉蓋のロック機構の動作を示す断面図である。
【００２０】
＜栓体の概略構成＞
本考案における飲料用容器は、スポーツジャグ等に用いられるものであるが、特定の用途に限定されるものではない。また、飲料用容器内に収容される飲料についても、水、お茶、コーヒー等が例示されるが、特定の飲料に限定されるものではない。なお、以下の説明において、水平・垂直という表現は、飲料用容器を水平面の上に垂直姿勢で置いたときの姿勢を基準にしているものと定義する。
【００２１】
図１に示すように、飲料用容器Ａは、栓体１と容器本体２から構成される。容器本体２の内部に飲料が収容され、容器本体２はほぼ円筒形を呈している。栓体１は、容器本体２の上部に形成される開口部を閉鎖するものである。栓体１は、容器本体２の上部に対してネジにより着脱自在に取り付けられる。
【００２２】
栓体１は、樹脂成型される蓋本体部１０を備えており、容器本体２の上部に形成された雄ねじに螺合する雌ねじ１００を備えている（図３参照）。蓋本体部１０の上面１０１には、開閉蓋１１が開閉自在に取り付けられている。蓋本体部１０の上面には飲口部１０２が一体形成されている。飲口部１０２は、上面１０１から突出した円筒形を呈している。この飲口部１０２から飲料を出す（飲む）ことができる。開閉蓋１１も樹脂成型で形成される。
【００２３】
開閉蓋１１の回転軸１２は、上面１０１に水平に設定される。回転軸１２を支持する軸支持部１０３が上面１０１に一体形成されている。回転軸１２は、円形を有する上面１０１の中心よりも少しオフセットした位置に設定される。飲口部１０２も中心からオフセットされた位置に設けられるが、オフセットされる方向は回転軸１２とは反対方向である。上記回転軸１２及び軸支持部１０３は、蓋支持部に相当する。
【００２４】
開閉蓋１１は、コイルバネ１３（第１付勢部材に相当）により開き方向に付勢される。コイルバネ１３は、回転軸１２と同軸に配置される。開閉蓋１１の裏面側には突出部１１０が一体形成され、開閉蓋１１を閉じたときに、飲口部１０２の中に挿入される状態になる。その突出部１１０の周りにシリコンゴム等により形成されるゴムパッキン１４が被せられる。これにより、飲料の漏れを効果的に防止する。
【００２５】
開閉蓋１１の回転支点から見て先端側に第１ロック部１１１が一体形成される。このロック部１１１には、第１ロック爪１１２が一体形成される。図２からも分かるように、飲口部１０２を挟むように、回転軸１２と第１ロック部１１１が配置される。
【００２６】
蓋本体部１０の内面であって、雌ねじ１００が形成される領域の上部にゴムパッキン１５が取り付けられる。また、蓋本体部１０の側面１０４には、蓋本体部１０の着脱操作を行いやすくするために、球面状の操作用突起１０５が円周方向に沿って配置されている。
【００２７】
＜ロック機構＞
次に、ロック機構Ｂの構成を説明する（特に図５を参照）。ロック機構Ｂは、開閉蓋１１を閉じた状態にロックするための機構である。開閉蓋１１を閉じたとき、飲口部１０２は閉塞された状態であり、開閉蓋１１を開いたとき、飲口部１０２は開放された状態である。
【００２８】
ロック機構Ｂは、蓋本体部１０の側面１０４に設けられている。ロック機構Ｂは、ロック部材２０とストッパー部材３０を備えている。ロック部材２０とストッパー部材３０は樹脂で成型される。ロック部材２０は、水平に設定された回転軸２１周りに回転可能である。ストッパー部材３０も水平に設定された回転軸３１周りに回転可能である。
【００２９】
ロック部材２０は、回転軸２１の上側が第２ロック部２００として機能し、第２ロック爪２０１が一体形成される。この第２ロック爪２０１は、開閉蓋１１の第１ロック爪１１２と係合可能である。図５（ａ）（ｂ）（ｄ）に示す状態は、ロック位置であり、図５（ｃ）に示す状態は、ロック解除位置である。ロック部材２０は、これらロック位置とロック解除位置の間を切り換え可能である。
【００３０】
ロック部材２０は、回転軸２１の下側に操作突起２０２が一体形成される。操作突起２０２の裏面側にバネ収容突部２０３が形成される。このバネ収容突部２０３には、コイルバネ４０（第２付勢部材に相当）の一端部が挿入される。コイルバネ４０は、ロック部材２０をロック位置の方向（図５において時計方向）に付勢する。蓋本体部１０の側面１０４にもバネ収容突部１０６が形成され、コイルバネ４０の他端部が挿入される。これにより、コイルバネ４０が安定した状態に保持される。
【００３１】
ストッパー部材３０は、回転軸３１周りに回転可能である。ストッパー部材３０の側面側の表面には操作突起３００が形成されている。また、ストッパー部材３０には、当接部３０１が形成されており、ロック部材２０に形成された被当接部２０４と当接可能な当接面を有する。図５（ａ）に示すように、当接部３０１は、回転軸３１を中心とする半径Ｒの当接面（円筒面）を有する。被当接部２０４も図５（ａ）に示す状態で同じ半径Ｒの当接面（円筒面）を有する。開閉蓋１１を閉じた位置では、当接部３０１と被当接部２０４は、ロック部材２０の裏面側に隠れており、外観からは見えない。
【００３２】
また、ストッパー部材３０の回転軸３１の奥側（図の右側）には、クリック部３０２が一体形成されている。また、蓋本体部１０の側面１０４にもクリック突起１０７が形成されており、この位置でストッパー部材３０は保持される。
【００３３】
ストッパー部材３０の回転軸３１は、ロック部材２０の回転軸２１よりも奥側（図の右側）に位置している。このように配置することで、当接部３０１と被当接部２０４の配置構成を行いやすくすることができる。仮に、回転軸３１を回転軸２１の真下に配置すると、当接部３０１と被当接部２０４の配置が難しくなり強度的な面で問題が生じ得る。また、上下方向に占める空間が大きくなり、栓体の上下方向の長さを抑制することが難しくなる。
【００３４】
また、蓋本体部１０の側面１０４のクリック突起１０７の上方には、ガイドリブ１０８が形成されている。ストッパー部材３０は、ちょうど回転軸３１の真上あたりで、このガイドリブ１０８に接触している。これは、ストッパー部材３０が許容位置（図５（ｄ））から阻止位置（同（ａ））に戻るときに、ストッパー部材３０のクリック部３０２がクリック突起１０７をスムーズに乗り越えることができるようにするためである。このガイドリブ１０８により、ストッパー部材３０の上方への変形を抑制し、クリック突起１０７をスムーズに乗り越えることができる。
【００３５】
＜開閉動作＞
次に、飲口部１０２を開放するときの動作を図５により説明する。本考案では、ロック機構Ｂとして、ロック部材２０とストッパー部材３０の２つの部材を上下に配置している。動作としては、まず、最初にストッパー部材３０を操作して、ロック部材２０が動ける状態にしてからロック部材２０を操作する。これにより、飲料用容器の携帯中に不意に開閉蓋１１が開くことを防止することができる。
【００３６】
図５（ａ）において、ロック部材２１の操作部２０２を押そうとすると、ロック部材２１の被当接部２０４がストッパー部材３０の当接部３０１を押すように作用する。したがって、この状態ではロック部材２１をロック位置からロック解除位置へと切り換えることはできない。特に、操作部２０２を押すと、図示の状態でロック部材２０には反時計方向のモーメントが作用するが、ストッパー部材３０には時計方向のモーメントが作用する。これにより、ロック部材２０とストッパー部材３０とは、互いに近づく方向に回転しようとするため、確実にロック状態を保持することができる。
【００３７】
ロック解除のためには、図５（ｂ）に示すように、ストッパー部材３０の操作突起３００を下方に押し下げる（矢印Ｃ参照）。これにより、ストッパー部材３０は、回転軸３１周りに反時計方向に回転させられる。このとき、ストッパー部材３０のクリック部３０２は、弾性変形しながら、クリック突起１０７を乗り越えることができる。
【００３８】
また、当接部３０１がロック部材２０の被当接部２０４との当接状態から脱出する。これにより、ストッパー部材３０は、ロック部材２０がロック解除位置へ移動するのを阻止する阻止位置から、ロック解除位置へ移動するのを許容する許容位置へと切り換えられる。当接部３０１の当接面は、回転軸３１を中心にした円筒面に形成されているので、被当接部２０４からの脱出は無理な力を必要とせず、スムーズに行うことができる。
【００３９】
当接部３０１が被当接部２０４から脱出したので、図５（ｃ）に示すように、ロック部材２０の操作部２０２を押すことができる（矢印Ｄ方向）。これにより、ロック部材２０は、ロック位置からロック解除位置へと切り換えられる。すなわち、ロック部材２０は、コイルバネ４０を圧縮しながら、回転軸２１周りに反時計方向に回転させられる。その結果、ロック部材２０の第２ロック爪２０１が開閉蓋１１の第１ロック爪１１２から脱出する。したがって、開閉蓋１１は、コイルバネ１３の付勢力により回転し、飲口部１０２が開放する（図２参照）。
【００４０】
ロック部材２０の操作部２０２から手を離すと、コイルバネ４０の復元力により、ロック部材２０はロック解除位置からロック位置へと復帰する（図５（ｄ）参照）。なお、ストッパー部材３０には、復帰用のバネ部材は特に設けておらず、許容位置に移動したままである。
【００４１】
次に、開閉蓋１１を閉じるときの動作を説明する。開閉蓋１１を閉じてくると、その途中で第１ロック爪１１２がロック部材２０の第２ロック爪２０１に当接する。このとき、第１ロック爪１１２の傾斜面が第２ロック爪２０１の傾斜面に当接して、第２ロック爪２０１を回転軸２１を反時計方向に回転させようとする。これにより、第１ロック爪１１２は、第２ロック爪２０１を乗り越えることができ、図５（ａ）に示すようなロック状態に切り換えることができる。なお、ロック部材２０を図５（ｃ）に示すように矢印Ｄ方向に押しながら開閉蓋１１を閉めてもよい。
【００４２】
＜考案の効果＞
本考案では、ロック部材２０の下方にストッパー部材３０が配置されており、いずれも水平方向の回転軸２１，３１周りに回転可能となっている。ストッパー部材３０はスライド移動させるのではなく、回転させるように構成しているので、上下方向の配置空間を抑制することができる。したがって、栓体１の上下方向の長さを抑制することができる。また、雌ねじ１００を形成する長さも短くすることができ、栓体１の着脱操作も行いやすくなる。
【符号の説明】
【００４３】
Ａ        飲料用容器
Ｂ        ロック機構
１        栓体
２        容器本体
１０      蓋本体部
１０１    上面
１０２    飲口部
１０４    側面
１１      開閉蓋
１１１    第１ロック部
１１２    第１ロック爪
１２      回転軸
１３      コイルバネ
２０      ロック部材
２００    第２ロック部
２０１    第２ロック爪
２０４    被当接部
３０      ストッパー部材
３０１    当接部
４０      コイルバネ
【図１】
0003150119.tif 000003
【図２】
0003150119.tif 000004
【図３】
0003150119.tif 000005
【図４】
0003150119.tif 000006
【図５】
0003150119.tif 000007